(57)【要約】      （修正有）【課題】注水配管内の清掃作業を容易化するとともに、清掃作業に要する時間を短縮できるポンプを提供する。【解決手段】遠心ポンプであって、ポンプケーシング２に収容された羽根車３を有し回転する羽根車によってポンプケーシング内の液体を昇圧する本体部７と、ポンプケーシングを貫通し羽根車を回転させるポンプ軸４と、ポンプケーシングとポンプ軸との間をシールする軸封部６と、本体部で昇圧された液体がポンプケーシングへの外部へと流通する吐出部９と、吐出部と軸封部とを接続し、吐出部を流通する液体の一部を軸封部へ供給する自己注水配管１０と、自己注水配管を覆う保温材と、下端が自己注水配管の途中位置に接続し上端に開口部が形成されている第１分岐配管と、を備える。第１分岐配管の他端は、保温材の外表面から突出している。開口部は、ポンプ軸よりも上方に設けられている。【選択図】図１
0003226154.tif 000002
【実用新案登録請求の範囲】
【請求項１】
筐体に収容された羽根車を有し、回転する前記羽根車によって前記筐体内の液体を昇圧する本体部と、
前記筐体を貫通し、前記羽根車を回転させる軸部と、
前記筐体と前記軸部との間をシールするシール部と、
前記本体部で昇圧された液体が前記筐体の外部へと流通する流通部と、
前記流通部と前記シール部とを接続し、前記流通部を流通する液体の一部を前記シール部へ供給する注水配管と、
前記注水配管）を覆う被覆部と、
一端が前記注水配管の途中位置に接続し、他端に開口部が形成されている分岐配管と、を備え、
前記分岐配管の前記他端は、前記被覆部の外表面から突出しており、
前記開口部は、前記軸部よりも上方に設けられているポンプ。
【請求項２】
前記分岐配管の前記他端は、前記分岐配管の前記一端から最も近い前記被覆部の前記外表面から突出している請求項１に記載のポンプ。
【請求項３】
前記注水配管は、内部にオリフィスを有し、
前記開口部は、前記オリフィスよりも上方に設けられている請求項１または請求項２に記載のポンプ。
【請求項４】
前記分岐配管及び前記注水配管は、前記開口部と前記オリフィスとの間において、屈曲部の数が０または１である請求項３に記載のポンプ。
【請求項５】
前記開口部を開閉可能な開閉部を備える請求項１から請求項４のいずれかに記載のポンプ。
【請求項６】
請求項１から請求項５のいずれかに記載のポンプに備えられた注水配管の清掃に用いられる清掃器具であって、
前記注水配管内の異物を吸引する吸引部と、
前記吸引部よりも先端側に設けられたブラシ部と、を備える清掃器具。
【考案の詳細な説明】
【技術分野】
【０００１】
本開示は、ポンプ及び清掃器具に関するものである。
【背景技術】
【０００２】
ポンプは、液体を昇圧する羽根車と、羽根車を収容する筐体と、筐体を貫通し羽根車を回転駆動する軸部と、を備えたものがある。そのようなポンプには、筐体と軸部との間から昇圧した液体が漏洩しないように、筐体と軸部との間をシールする軸封部が設けられている。また、ポンプによっては、軸封部からの空気吸い込みを防止する目的や、軸封部と軸部の摺動部との間で発生する熱の除去や潤滑性の保持などの目的から、軸封部に対して流体を供給する場合がある。軸封部に対して流体を供給するポンプには、羽根車の駆動力によって吸い上げる流体や、羽根車の駆動力によって昇圧した流体の一部を軸封部に導き、軸封部への供給流体（いわゆる自己注水）として使用するものが知られている（例えば、特許文献１）。
【０００３】
特許文献１には、ケーシング内にインペラを設け、シャフトでインペラを回転させることにより被送液を吸込管から吸込んで昇圧し、吐出管から吐出する遠心ポンプが開示されている。このポンプの軸封部のスタフィングボックスとシャフトスリーブの間には、グランドパッキンとランタンリングとが設けられている。ランタンリングには吸込管から連結管が連結されている。ポンプの運転時には、シャフトが回転し、インペラが被送液を吸込管から吸込み、ケーシング内で昇圧して吐出管へ吐出する。このとき、軸封部が吸込管より低圧であれば、被送液（軸封水）が吸込管から連結管を経て軸封部へ流れる。
【先行技術文献】
【特許文献】
【０００４】
【特許文献１】特開２００２−２２１１８９号公報
【考案の概要】
【考案が解決しようとする課題】
【０００５】
ところで、軸封部に自己注水を利用するポンプは、設けられる環境によって、ポンプで昇圧する液体に異物が混在していることがある。このようなポンプとして、例えば、プラント設備で利用される雑用水を昇圧するポンプが挙げられる。プラント設備で用いられる雑用水のなかには、工業用水のみならずに、河川水や海水などを利用することがある。そのため、雑用水に、鉄さび、藻、稚い水中動物等の異物が混入している場合がある。このような場合には、軸封部に自己注水用の液体を導く配管（以下、「注水配管」と称する。）内を異物が混在した水が流通することとなる。注水配管内を異物が混在した水が流通すると、注水配管が異物によって閉塞してしまう可能性があり、ストレーナを設けてもストレーナが早期に閉塞する場合があった。また、ストレーナを通過した小さな異物がある場合には、流量や圧力の調整のために注水配管に設けたオリフィスなど流量調整部分に異物が溜まってしまい、より注水配管が閉塞し易くなる可能性があった。
【０００６】
注水配管が閉塞すると、軸封部への送液量が減少する。軸封部への送液量が減少すると、軸封性能、冷却性能、潤滑性能なども減少するため、ポンプが性能不全となってしまう可能性がある。注水配管の閉塞を抑制するためには、注水配管内を清掃する必要がある。特許文献１のポンプでは、注水配管（連結管）が一本の配管で構成されている。このため、注水配管の内部を清掃するためには、注水配管を分解する必要がある。また、清掃後には、分解した注水配管を組立てる必要がある。このように、特許文献１の装置では、注水配管の清掃作業が煩雑化し、長時間化する可能性があった。
また、例えば、保温や凍結防止のために注水配管を断熱材（保温材）等で覆っている場合には、注水配管内を清掃するために、保温材の除去及び装着が必要となるので、より注水配管の清掃作業が煩雑化し、長時間化する可能性があった。
【０００７】
また、注水配管内清掃の洗浄方法として、ポンプの外部から異物が混入していない清水を、軸封部側から注水配管へ供給し、注水配管を逆洗することで異物を除去する方法も考えられる。しかしながら、このような方法は、別途、外部から清水を供給するための配管や装置等を設ける必要がある。したがって、設備コストが増大する可能性があった。
【０００８】
本開示は、このような事情に鑑みてなされたものであって、注水配管内の清掃作業を容易化することができるとともに、清掃作業に要する時間を短縮することができるポンプ及び清掃器具を提供することを目的とする。
また、設備コストを抑制することができるポンプ及び清掃器具を提供することを目的とする。
【課題を解決するための手段】
【０００９】
上記課題を解決するために、本開示のポンプ及び清掃器具は以下の手段を採用する。
本開示の一態様に係るポンプは、筐体に収容された羽根車を有し、回転する前記羽根車によって前記筐体内の液体を昇圧する本体部と、前記筐体を貫通し、前記羽根車を回転させる軸部と、前記筐体と前記軸部との間をシールするシール部と、前記本体部で昇圧された液体が前記筐体の外部へと流通する流通部と、前記流通部と前記シール部とを接続し、前記流通部を流通する液体の一部を前記シール部へ供給する注水配管と、前記注水配管を覆う被覆部と、一端が前記注水配管の途中位置に接続し、他端に開口部が形成されている分岐配管と、を備え、前記分岐配管の前記他端は、前記被覆部の外表面から突出しており、前記開口部は、前記軸部よりも上方に設けられている。
【考案の効果】
【００１０】
本開示によれば、注水配管内の清掃作業を容易化することができるとともに、清掃作業に要する時間を短縮することができる。
また、本開示によれば、設備コストを抑制することができる。
【図面の簡単な説明】
【００１１】
【図１】本開示の実施形態に係る遠心ポンプを示す縦断面図である。
【図２】図１の遠心ポンプに設けられた自己注水配管を模式的に示した図である。
【図３】図２の要部（III部分）を示す縦断面図である。
【図４】本開示の実施形態に係る清掃器具を示す模式的な正面図である。
【図５】図４の清掃器具の変形例を示す模式的な正面図である。
【図６】図２の自己注水配管の変形例を模式的に示した図である。
【考案を実施するための形態】
【００１２】
以下に、本開示に係るポンプ及び清掃器具の一実施形態について、図面を参照して説明する。
本開示の実施形態に係るポンプは、遠心力を利用するいわゆる遠心ポンプである。遠心ポンプは、例えば、雑用水として工業用水や河川水や海水などを利用するプラント設備に設けられるポンプであって、供給先まで雑用水を流通させる駆動源とされている。なお、本開示に係るポンプは、遠心ポンプに限定されない。また、ポンプの適用先は、プラント設備に限定されないことはもちろんであり、プラント設備以外の諸施設に設けられていてもよい。
【００１３】
［遠心ポンプ］
遠心ポンプ１は、図１に示すように、外殻を為すポンプケーシング（筐体）２と、ポンプケーシング２に収容される羽根車３と、ポンプケーシング２を貫通するポンプ軸（軸部）４と、ポンプ軸４を回転自在に支持する軸受５と、ポンプケーシング２とポンプ軸４と間をシールする軸封部（シール部）６と、を備えている。ポンプケーシング２と羽根車３とは、液体（本実施形態では、雑用水）を昇圧する本体部７を構成している。
また、遠心ポンプ１は、ポンプケーシング２の内部に液体を吸込む吸込部８と、本体部７で昇圧された液体を吐出する吐出部（流通部）９と、を備えている。本実施形態では、吐出部９の上部には、吐出部９を規定するポンプケーシング２の一部を貫通する１つの流通孔９ａが形成されている。流通孔９ａは、上下方向に延びる孔であって、図示省略の流通配管（流通部）が接続されている。流通配管は、下流側に液体を送球するための配管である。また、吐出部９の側部には、吐出部９を規定するポンプケーシング２の一部を貫通する２つの注水孔９ｂが形成されている。各注水孔９ｂは、流通孔９ａよりも下部に形成されていて、本実施形態では、例えば水平方向に延在している。各注水孔９ｂには、後述する自己注水配管１０が接続している。なお、流通孔９ａは、吐出部９の上部以外に形成されていてもよい。
【００１４】
ポンプケーシング２は、内部に空間が形成され、この空間内に羽根車３及びポンプ軸４の一部が配置されている。ポンプ軸４は、モータ等の駆動源（図示省略）の駆動軸にカップリング（図示省略）で連結され、駆動源からの駆動力によって回転する。羽根車３は、ポンプ軸４の外周面に固定され、ポンプ軸４と同軸で回転する。軸受５は、ポンプケーシング２に対して固定されていて、ポンプ軸４の長手方向の両端部付近を回転自在に支持している。
軸封部６は、ポンプ軸４がポンプケーシング２を貫通する部分の近傍に設けられている。軸封部６は、いわゆるグランドパッキン方式の軸封部６である。また、軸封部６は、グランドパッキン６ａと、グランドパッキン６ａの略中央部（ポンプ軸４の中心軸線方向の中央部）に設けられるランタンリング６ｂと、を有している。ランタンリング６ｂには、後述する自己注水配管１０が接続されている。軸封部６は、ランタンリング６ｂを介して、グランドパッキン６ａに液体（以下、グランドパッキン６ａに供給される液体を「軸封水」とも称する。）が供給される。なお、本開示に係る軸封部６は、グランドパッキン方式に限定されない。例えば、軸封部６は、メカニカルシール方式であってもよい。また、軸封部６に供給される液体は軸封水に限定されない。例えば、フラッシング水やクエンチング水であってもよい。
【００１５】
遠心ポンプ１は、駆動源からの駆動力によってポンプ軸４が回転すると、ポンプ軸４とともに羽根車３が回転する。この回転駆動力によって、吸込部８からポンプケーシング２の内部に液体（雑用水）を吸込む。ポンプケーシング２の内部に吸い込まれた液体は、吸込部８側からポンプ軸４側の空間へ導かれ、羽根車３によって昇圧される。羽根車３によって昇圧された液体は、遠心力によって、羽根車３から吐出部９に吐出される。吐出部９に吐出された液体は、吐出部９に接続される流通配管（図示省略）に流入し、流通配管によって液体の供給先へ導かれる。
【００１６】
［自己注水配管］
また、遠心ポンプ１は、自己注水配管（注水配管）１０を備えている。自己注水配管１０は、図１及び図２に示すように、吐出部９と軸封部６とを接続している。吐出部９の液体は、軸封部６より高い圧力を保有している。自己注水配管１０は、注水孔９ｂとランタンリング６ｂとを接続している。これにより、吐出部９に吐出された液体の一部が、自己注水配管１０に流入する。自己注水配管１０に流入した液体は、自己注水配管１０を介して、軸封水として軸封部６に導かれる。なお、図１では、図示の関係上、自己注水配管１０の上流端部（符号Ａ）と下流端部（符号Ｂ）のみ図示している。また、図１中の符号Ａ及びＢは、図２中の符号Ａ及びＢに対応している。
【００１７】
自己注水配管１０は、図２に示すように、本実施形態では上流端（符号Ａ）が注水孔９ｂに接続されている。自己注水配管１０は、注水孔９ｂから略水平に延在するとともに略鉛直上方に曲折し再度水平方向に曲折して延びる入口部１１と、入口部１１の下流端から略鉛直上方に曲折して上方へ延びる第１鉛直部１２と、第１鉛直部１２の下流端（上端）から略水平方向へ曲折して延びる水平部１３と、水平部１３の下流端から略鉛直下方に曲折して下方へ延びる第２鉛直部１４と、を備えている。第２鉛直部１４の下流端（符号Ｂ）は、ランタンリング６ｂに接続されている。
また、本実施形態では、遠心ポンプ１を屋外に設置するために、凍結を防止するために、自己注水配管１０を保温材（被覆部）１５で被覆している。このため、自己注水配管１０は、ポンプケーシング２の外気側を保温材１５によって被覆されている。このとき、保温材１５は、自己注水配管１０の略全域を被覆している。保温材１５の外表面の上端は、図２及び図３の二点鎖線で示すように、水平部１３の上方に位置している。なお、保温材１５は、自己注水配管１０のみを被覆していてもよく、自己注水配管１０を含む遠心ポンプ１の全体を被覆していてもよい。
【００１８】
図２に示すように、第１鉛直部１２の途中位置には、自己注水配管１０の内部を流通する軸封水の流量を調整するためのオリフィス１２ａが設けられている。詳細には、図３に示すように、第１鉛直部１２の内部にオリフィス１２ａが設けられている。オリフィス１２ａを設けた部分では、第１鉛直部１２の内部に形成された流路面積が小さくなっている。
【００１９】
また、図２及び図３に示すように、第１鉛直部１２の上部には第１分岐配管（分岐配管）１６が連通している。詳細には、図３に示すように、第１鉛直部１２と水平部１３との接続部分において、上方から第１分岐配管１６が接続されている。第１分岐配管１６は、鉛直方向に延在する配管である。すなわち、第１分岐配管１６と第１鉛直部１２とは連続する直管を形成するように接続されている。第１分岐配管１６は、上端部が保温材１５の外表面よりもわずかに上方へ突出している。第１分岐配管１６の上端には、上方に向かって開口する開口部１６ａが形成されている。すなわち、開口部１６ａは、保温材１５の外側の空間に向かって開口している。
このように、第１分岐配管１６は、一端（下端）が自己注水配管１０の途中位置に接続されているとともに、上端（他端）に開口部１６ａが形成されている。開口部１６ａは、ポンプ軸４よりも上方に位置している。また、分岐配管の上端部は、分岐配管の下端から直線距離で最も近い保温材１５の外表面から外気側へと突出している。
【００２０】
第１分岐配管１６の上端部には、着脱可能な閉止部材（開閉部）１７が設けられている。閉止部材１７は、第１分岐配管１６の上端部に取り付けられている状態において、開口部１６ａの全域を閉止している。また、閉止部材１７を第１分岐配管１６の上端部から取り外された状態において、開口部１６ａの全域を開放している。閉止部材１７の例としては、プラグやキャップが挙げられる。
【００２１】
また、図２及び図３に示すように、第２鉛直部１４の上部には第２分岐配管（分岐配管）１８が連通している。詳細には、図３に示すように、第２鉛直部１４と水平部１３との接続部分において、上方から第２分岐配管１８が接続されている。第２分岐配管１８と第２鉛直部１４とは連続する直管を形成するように接続されている。なお、第２分岐配管１８は、自己注水配管１０に接続する位置のみが第１分岐配管１６と異なっており、構造等は第１分岐配管１６と同一であるので、詳細な説明は省略する。また、第２分岐配管１８の上端部にも、第１分岐配管１６と同様の閉止部材１７が設けられている。
【００２２】
なお、自己注水配管１０、第１分岐配管１６及び第２分岐配管１８の配管径は、後述する清掃器具２０が挿入可能な大きさとされる。本実施形態では、一例として、各配管の配管径が、１０Ａ以上とされている。なお、自己注水配管１０により軸封水として軸封部６に導かれる液体流量は多くないことを考慮して、配管径を２０Ａ〜３０Ａとするとより好適である。
なお、第１分岐配管１６を製作する方法は、特に限定されないが、例えば、Ｔピースを水平部１３及び第１鉛直部１２に接続することで作成してもよい。また、第２分岐配管１８を作成する方法も同様である。
【００２３】
［清掃器具］
次に、自己注水配管１０の内部を清掃する際に用いられる清掃器具２０について、図４を用いて説明する。
図４に示すように、清掃器具２０は、自己注水配管１０内の異物を吸引する吸引ノズル（吸引部）２１と、吸引ノズル２１よりも先端側に設けられた複数（本実施形態では、一例として、２つ）のブラシ部２２と、を備えている。
【００２４】
吸引ノズル２１は、弾性と屈曲性を保有するフレキスブルな配管である。吸引ノズル２１は、基端が吸引装置（図示省略、例えば真空吸引掃除機）に接続されている。また、吸引ノズル２１は先端に開口が形成されており、この開口から自己注水配管１０の内部の異物を吸引する。また、吸引ノズル２１は、先端部に２つのブラシ部２２が、例えば針金などの接続部材２３によって固定されている。接続部材２３は、一端が吸引ノズル２１の先端部に接合し固定され、他端がブラシ部２２に例えば溶接などにより固定されている。
【００２５】
２つのブラシ部２２は、吸引ノズル２１の延在方向と交差する方向に離間して並んで配置されている。２つのブラシ部２２同士の間に、吸引ノズル２１の開口が配置されている。各ブラシ部２２は、基部２２ａと基部２２ａから突出するブラシ部分２２ｂとを有する。
また、各基部２２ａ同士の距離は、自己注水配管１０、第１分岐配管１６及び第２分岐配管１８の配管径よりもわずかに短くなっている。このため、各配管内に清掃器具２０を挿入した際に、ブラシ部２２の外側に延びるブラシ部分２２ｂが各配管の内周面と当接するので、好適に内周面に付着した異物を剥離して、吸引ノズル２１から排出することができる。
【００２６】
［清掃器具の変形例］
なお、清掃器具の構造は、上記説明の構造に限定されない。例えば、図５に示すように、ブラシ部２２が１つでもよい。この場合には、ブラシ部２２と吸引ノズル２１の先端とは離間しており、ブラシ部２２の基端と吸引ノズル２１の先端との間には、空間が形成される。このように構成することで、吸引ノズル２１の先端に形成された開口から好適に異物を吸引することができる。また、本実施形態のブラシ部２２は、吸引ノズル２１と同軸となるように配置されている。このため、自己注水配管１０内に清掃器具２０を挿入した際に、ブラシ部２２の基部２２ａの外側に延びるブラシ部分２２ｂが、自己注水配管１０の内周面と当接するので、好適に自己注水配管１０の内周面に付着した異物を剥離して、吸引ノズル２１から排出することができる。また、ブラシ部２２と吸引ノズル２１とを固定する接続部材３３は、吸引ノズル２１の側面とブラシ部２２の側面とを接続している。すなわち、ブラシ部２２の基端と吸引ノズル２１の先端との間の空間には、接続部材３３は配置されない。このように構成することで、吸引ノズル２１の先端に形成された開口から好適に異物を吸引する際に、異物と接続部材３３との干渉を抑制することができるので、好適に異物を吸引することができる。
また、ブラシ部２２の基部２２ａは、オリフィス１２ａのうち、流路断面積が最も小さい部分に挿入可能な大きさに形成されていると好適である。このように構成することで、オリフィス１２ａを好適に清掃することが可能となる。
【００２７】
［清掃方法］
本実施形態に係る自己注水配管１０を清掃する方法について説明する。
自己注水配管１０を清掃する際には、まず第１分岐配管１６に取り付けられている閉止部材１７を取り外す。次に、清掃器具２０を第１分岐配管１６の開口部１６ａから挿入する。そして、第１鉛直部１２の内部を清掃器具２０によって清掃する。詳細には、ブラシ部分２２ｂが第１分岐配管１６の内周面と当接して内周面に付着した異物を剥離しながら、剥離した異物を吸引ノズル２１で吸引することで排出する。このとき、第１鉛直部１２に設けられたオリフィス１２ａも清掃する。なお、オリフィス１２ａには、異物が付着し易いので、オリフィス１２ａを重点的に清掃したい場合には、図５で示した清掃器具２０を用いてもよい。第１鉛直部１２の内部の清掃を終えると、清掃器具２０を引き抜く。そして、第１分岐配管１６に閉止部材１７を取り付ける。このようにして、自己注水配管１０の清掃を終了する。
なお、必要に応じて、第２分岐配管１８の開口部から清掃器具２０を挿入して、第２鉛直部１４を清掃してもよい。また、必要に応じて、第１分岐配管１６の開口部１６ａまたは第２分岐配管１８の開口部から清掃器具２０を挿入して、吸引ノズル２１のフレキスブル性を利用して、水平部１３を清掃してもよい。
【００２８】
本実施形態によれば、以下の作用効果を奏する。
本実施形態では、第１分岐配管１６の下端が自己注水配管１０に接続し、第１分岐配管１６の上端の保温材１５の外側に開口部１６ａが形成されている。これにより、第１分岐配管１６の上端の開口部１６ａから、自己注水配管１０の内部にアクセスすることができる。したがって、例えば、第１分岐配管１６の上端の開口部１６ａから清掃器具２０を挿入すると、第１分岐配管１６を介して自己注水配管１０の内部に清掃器具２０を到達させることができる。よって、自己注水配管１０を分解することなく、自己注水配管１０の内部を清掃することができる。以上から、自己注水配管１０の清掃作業に伴って自己注水配管１０の分解及び組立作業が生じないので、自己注水配管１０の清掃作業を容易化することができるとともに、清掃作業に要する時間を短縮することができる。
また、本実施形態では、第１分岐配管１６を設けるだけで、自己注水配管１０の内部を清掃することができる。したがって、例えば別途、洗浄用の液体を自己注水配管１０に供給する系統を設けるような場合と比較して、設備コストを抑制することができる。
また、本実施形態では、第１分岐配管１６の上端が保温材１５の外表面から外気側に突出している。これにより、保温材１５を除去することなく、第１分岐配管１６の他端の開口部１６ａから自己注水配管１０の内部へアクセスすることができる。したがって、清掃作業に伴って、保温材１５の除去及び装着作業が生じないので、自己注水配管１０の清掃作業をより容易化することができるとともに、清掃作業に要する時間をより短縮することができる。
また、本実施形態では、第１分岐配管１６の上端の開口部１６ａが、ポンプ軸４よりも上方に設けられている。これにより、例えば、遠心ポンプ１が床面等に配置されている場合には、清掃作業を行う作業者が容易に開口部１６ａに清掃器具２０を挿入することができるので、清掃作業の作業性を向上させることができる。
【００２９】
本実施形態では、第１分岐配管１６の上端が、第１分岐配管１６の下端から最も近い保温材１５の外表面から外気側に突出している。これにより、第１分岐配管１６の長さを短くすることができる。したがって、自己注水配管１０の清掃作業を行う際に、清掃器具２０を第１分岐配管１６の上端の開口部１６ａから容易に自己注水配管１０の内部に到達させることができる。したがって、清掃作業をより容易化することができる。
【００３０】
本実施形態では、第１分岐配管１６の上端の開口部１６ａが、オリフィス１２ａよりも上方に設けられている。これにより、オリフィス１２ａの清掃作業を行う際に、開口部１６ａからオリフィス１２ａまで容易に清掃器具２０を到達させることができる。したがって、オリフィス１２ａの清掃作業をより容易化することができる。
【００３１】
本実施形態では、図２及び図３に示すように、第１分岐配管１６の開口部１６ａからオリフィス１２ａまでは、直管のみで接続されている。すなわち、第１分岐配管１６及び自己注水配管１０は、第１分岐配管１６の上端の開口部１６ａとオリフィス１２ａとの間において、屈曲部の数が０とされている。これにより、開口部１６ａからオリフィス１２ａまで清掃器具２０を到達させる際に、清掃器具２０が通過する屈曲部の数が０となる。このように、清掃器具２０が屈曲部を通過しない構成とすることで、清掃器具２０が屈曲部を通過する場合と比較して、開口部１６ａからオリフィス１２ａまで容易に清掃器具２０を到達させることができる。
なお、開口部１６ａとオリフィス１２ａとの間には、屈曲部が設けられてもよい。例えば、開口部１６ａとオリフィス１２ａとの間に、１つの屈曲部が設けられていてもよい。このように、屈曲部の数が１つであれば、清掃器具２０が吸引ノズル２１のフレキスブル性を利用して、通過する屈曲部の数が最少とすることができる。したがって、清掃器具２０が複数の屈曲部を通過する場合と比較して、開口部１６ａからオリフィス１２ａまで容易に清掃器具２０を到達させることができる。
【００３２】
本実施形態では、開口部１６ａを開閉可能な開閉部を備えている。これにより、清掃作業を行わない場合には、開閉部によって開口部１６ａを閉止することができる。したがって、例えばポンプが通常運転を行っている場合には、開口部１６ａを閉止することで、自己注水配管１０内の液体が開口部１６ａから漏洩する事態を抑制することができる。
【００３３】
本実施形態では、清掃器具２０がブラシ部２２を備えている。これにより、清掃器具２０を第１分岐配管１６の上端の開口部１６ａから挿入することで、自己注水配管１０の内周面に付着した異物をブラシ部２２によって剥離することができる。したがって、自己注水配管１０を好適に清掃することができる。
また、清掃器具２０には、ブラシ部２２よりも基端側（先端側とは反対側）に、異物を吸引する吸引ノズル２１が設けられている。これにより、ブラシ部２２によって自己注水配管１０内から剥離した異物を、吸引ノズル２１で吸引することができる。これにより、異物を自己注水配管１０内に残留させずに、自己注水配管１０内から除去することができる。したがって、自己注水配管１０から剥離した異物が軸封部６へ導入される事態を抑制することができる。
また、ブラシ部２２と吸引ノズル２１の先端との間は離間して空間が形成されているので、吸引ノズル２１の先端に形成された開口から好適に異物を吸引することができる。
【００３４】
なお、本開示は、上記実施形態に限定されるものではなく、その要旨を逸脱しない範囲において、適宜変形が可能である。
例えば、上記実施形態では、本開示を遠心ポンプ１に適用する例について説明したが、本開示はこれに限定されない。本開示は、軸封部に液体を供給するポンプであれば何れのポンプにも適用可能であり、例えば、軸流ポンプに適用してもよい。
【００３５】
また、上記実施形態では、ポンプに設けられる軸封部として、グランドパッキン方式の軸封部６を用いる例について説明したが、本開示はこれに限定されない。例えば、メカニカルシール方式の軸封部を用いてもよい。
【００３６】
また、本実施形態では、第１鉛直部１２のみにオリフィス１２ａを設ける例について説明したが、本開示はこれに限定されない。例えば、図６に示すように、第２鉛直部１４にもオリフィス１４ａを設けてもよい。この場合には、第２分岐配管１８の上端の開口部と第２鉛直部１４のオリフィス１４ａとの間に屈曲部が存在しないので、第２分岐配管１８の上端の開口部から清掃器具２０を挿入することで、好適に第２鉛直部１４のオリフィス１４ａを清掃することができる。なお、図６中の符号Ａ及びＢは、図１中の符号Ａ及びＢに対応している。
【００３７】
以上説明した各実施形態に記載のポンプ及び清掃器具は例えば以下のように把握される。
本開示の一態様に係るポンプ（１）は、筐体（２）に収容された羽根車（３）を有し、回転する前記羽根車（３）によって前記筐体（２）内の液体を昇圧する本体部（７）と、前記筐体（２）を貫通し、前記羽根車（３）を回転させる軸部（４）と、前記筐体（２）と前記軸部（４）との間をシールするシール部（６）と、前記本体部（７）で昇圧された液体が筐体（２）の外部へと流通する流通部（９）と、前記流通部（９）と前記シール部（６）とを接続し、前記流通部（９）を流通する液体の一部を前記シール部（６）へ供給する注水配管（１０）と、前記注水配管（１０）を覆う被覆部（１５）と、一端が前記注水配管（１０）の途中位置に接続し、他端に開口部（１６ａ）が形成されている分岐配管（１６、１８）と、を備え、前記分岐配管（１６、１８）の前記他端は、前記被覆部（１５）の外表面から突出しており、前記開口部（１６ａ）は、前記軸部（４）よりも上方に設けられている。
【００３８】
上記構成では、分岐配管の一端が注水配管に接続し、分岐配管の他端に開口部が形成されている。これにより、分岐配管の他端の開口部から、注水配管の内部に容易にアクセスすることができる。したがって、例えば、分岐配管の他端の開口部からブラシ等の清掃器具を挿入すると、分岐配管を介して注水配管に清掃器具を到達させることができる。よって、注水配管を分解することなく、注水配管の内部を容易に清掃することができる。以上から、清掃作業に伴って注水配管の分解及び組立作業が生じないので、注水配管の清掃作業を容易化することができるとともに、清掃作業に要する時間を短縮することができる。
また、上記構成では、注水配管を清掃するために、分岐配管を設けるだけである。したがって、例えば別途、洗浄用の液体を注水配管に供給する系統を設けるような場合と比較して、設備コストを抑制することができる。
また、上記構成では、分岐配管の他端が被覆部の外表面から突出している。これにより、被覆部を除去することなく、分岐配管の他端の開口部から注水配管の内部へアクセスすることができる。したがって、清掃作業に伴って、被覆部の除去及び装着作業が生じないので、注水配管の清掃作業をより容易化することができるとともに、清掃作業に要する時間をより短縮することができる。なお、被覆部の例としては、保温材等が挙げられる。
また、上記構成では、分岐配管の他端の開口部が、軸部よりも上方に設けられている。これにより、例えば、ポンプが床面等に配置されている場合には、清掃作業を行う作業者が容易に開口部に清掃器具を挿入することができるので、清掃作業の作業性を向上させることができる。
なお、被覆部は、注水配管の一部または全部のみを覆っていてもよく、また、ポンプ全体を覆っていてもよい。
【００３９】
また、本開示の一態様に係るポンプ（１）は、前記分岐配管（１６、１８）の前記他端は、前記分岐配管（１６、１８）の前記一端から最も近い前記被覆部（１５）の前記外表面から突出している。
【００４０】
上記構成では、分岐配管の他端が、分岐配管の一端から最も近い被覆部の外表面から突出している。これにより、分岐配管の長さを短くすることができる。したがって、注水配管の清掃作業を行う際に、清掃器具を分岐配管の他端の開口部から容易に注水配管の内部に到達させることができる。したがって、清掃作業をより容易化することができる。
【００４１】
また、本開示の一態様に係るポンプ（１）は、前記注水配管（１０）は、内部にオリフィス（１２ａ、１４ａ）を有し、前記開口部（１６ａ）は、前記オリフィス（１２ａ、１４ａ）よりも上方に設けられている。
【００４２】
上記構成では、分岐配管の他端の開口部が、オリフィスよりも上方に設けられている。これにより、オリフィスの清掃作業を行う際に、開口部からオリフィスまで容易に清掃器具を到達させることができる。したがって、オリフィスの清掃作業をより容易化することができる。
【００４３】
また、本開示の一態様に係るポンプ（１）は、前記分岐配管（１６、１８）及び前記注水配管（１０）は、前記開口部（１６ａ）と前記オリフィス（１２ａ、１４ａ）との間において、屈曲部の数が０または１である。
【００４４】
上記構成では、分岐配管及び注水配管は、分岐配管の他端の開口部とオリフィスとの間において、屈曲部の数が０または１とされている。これにより、開口部からオリフィスまで清掃器具を到達させる際に、清掃器具が通過する屈曲部の数が０または１となる。このように、清掃器具が屈曲部を通過しない、または、清掃器具が通過する屈曲部の数が最少とすることで、清掃器具が複数の屈曲部を通過する場合と比較して、開口部からオリフィスまで容易に清掃器具を到達させることができる。したがって、オリフィスの清掃作業を容易化することができる。
【００４５】
また、本開示の一態様に係るポンプ（１）は、前記開口部（１６ａ）を開閉可能な開閉部（１７）を備える。
【００４６】
上記構成では、開口部を開閉可能な開閉部を備えている。これにより、清掃作業を行わない場合には、開閉部によって開口部を閉止することができる。したがって、例えばポンプが運転を行っている場合には、開口部を閉止することで、開口部から液体が漏洩する事態を抑制することができる。
【００４７】
本開示の一態様に係る清掃器具は、上記のいずれかに記載のポンプ（１）に備えられた注水配管（１０）の清掃に用いられる清掃器具（２０）であって、前記注水配管（１０）内の異物を吸引する吸引部（２１）と、前記吸引部（２１）よりも先端側に設けられたブラシ部（２２）と、を備える。
【００４８】
上記構成では、ブラシ部を備えている。これにより、清掃器具を分岐配管の他端の開口部から挿入することで、注水配管に付着した異物をブラシ部によって剥離して、吸引ノズルから吸引して清掃することができる。したがって、注水配管を好適に清掃することができる。
また、上記構成では、ブラシ部よりも基端側（先端側とは反対側）に、異物を吸引する吸引部が設けられている。これにより、ブラシ部によって注水配管から剥離した異物を、吸引部で速やかに吸引して効率よく清掃することができる。これにより、異物を注水配管内に残留させずに、注水配管内から除去することができる。したがって、注水配管から剥離した異物がシール部へ導入される事態を抑制することができる。
【符号の説明】
【００４９】
１      ：遠心ポンプ
２      ：ポンプケーシング（筐体）
３      ：羽根車
４      ：ポンプ軸（軸部）
５      ：軸受
６      ：軸封部（シール部）
６ａ    ：グランドパッキン
６ｂ    ：ランタンリング
７      ：本体部
８      ：吸込部
９      ：吐出部（流通部）
９ａ    ：流通孔
９ｂ    ：注水孔
１０    ：自己注水配管（注水配管）
１１    ：入口部
１２    ：第１鉛直部
１２ａ  ：オリフィス
１３    ：水平部
１４    ：第２鉛直部
１４ａ  ：オリフィス
１５    ：保温材（被覆部）
１６    ：第１分岐配管（分岐配管）
１６ａ  ：開口部
１７    ：閉止部材（開閉部）
１８    ：第２分岐配管（分岐配管）
２０    ：清掃器具
２１    ：吸引ノズル（吸引部）
２２    ：ブラシ部
２２ａ  ：基部
２２ｂ  ：ブラシ部分
２３    ：接続部材
３３    ：接続部材
【図１】
0003226154.tif 000003
【図２】
0003226154.tif 000004
【図３】
0003226154.tif 000005
【図４】
0003226154.tif 000006
【図５】
0003226154.tif 000007
【図６】
0003226154.tif 000008